(57)【要約】  【課題】  議題を絞って議論を集中でき、且つ問題点の優先順位を厳格にして運用可能であり、しかも会議における有用な意見や提案を埋もれさせない、という運用が可能な電子会議システム用管理サーバを提供する。  【解決手段】  端末装置２０の入力手段が入力した発言情報を受信し、一時的に管理サーバ１０に保留する。端末装置３０による保留解除信号を受信すると、その受信した発言情報を電子会議に参加している全ての端末装置２０に送信する。また、投票機能が発言情報に基づいて問題点を抽出し、その問題点から会議の議題にするかを投票によって決定する。決定した議題について会議が終了したら、コミットメント生成機能を用いてコミットメントを作成する。さらには、本日の会議によって各自の目標設定が達成されたか否かを各自で確認可能とした。【選択図】    図１
2009093220.tif 000002
【特許請求の範囲】
【請求項１】
電子会議に参加する複数の端末装置からネットワーク接続されるとともに、各端末装置に対して電子会議に係る情報を表示可能とした管理サーバであって、
前記端末装置の入力手段から入力された議題に関する状況の確認データや問題の解決案などの発言情報を受信する発言情報受信手段と、
その発言情報受信手段が受信した発言情報を、参加者に係る端末装置には一時的に表示せずに一旦集積する発言情報集積手段と、
電子会議の進行役である議長の判断により当該議長に係る議長側端末装置の入力手段が、集積した発言情報の公開許可信号を送信した場合に、前記発言情報を電子会議に参加している全ての端末装置に対して送信する発言情報送信手段と、
前記各端末装置の入力手段が入力した複数の問題点を受信するとともに、それら問題点から、いずれの問題点を議題とするかを決定するための投票受付手段と、
前記発言情報に基づいて、議長側端末装置および参加者側端末装置に対して、コミットメント作成用の入力欄を表示させるとともに、前記議長側端末装置または参加者側端末装置がそのコミットメント作成用の入力欄にコミットメントを入力し、コミットメントを依頼する相手に前記入力したコミットメントを送信するコミットメント生成手段と、
を備えたことを特徴とする電子会議システム用管理サーバ。
【請求項２】
前記電子会議に参加する参加者から送信された会議の目的を受信するとともに、その電子会議の目的を各端末装置に送信して表示する会議目的送信手段を備えたことを特徴とする請求項１記載の電子会議システム用管理サーバ。
【請求項３】
前記投票受付手段は、複数の問題点に対して投票された投票数が同一票数であるか否かを判別する投票数判別手段と、その投票数判別手段が複数の問題点に対して投票された投票数が同一票数であると判別した場合に、前記各端末装置に再投票を促す旨を送信する再投票指示送信手段と、を備えたことを特徴とする請求項１または請求項２のいずれかに記載の電子会議システム用管理サーバ。
【請求項４】
前記再投票指示送信手段は、再投票に必要な複数の問題が含まれるとともに、投票可能な有効投票数が前記各端末装置ごとに設定されていることを特徴とする請求項３記載の電子会議システム用管理サーバ。
【請求項５】
前記端末装置の入力手段が入力した問題点を受信するとともに、その入力された問題点を予め定められた質問用フォーマットに変換し、その質問用フォーマットを用いることで前記端末装置が質問用文書として作成可能な質問用フォーマット送信手段を備えたことを特徴とする請求項１から請求項４のいずれかに記載の電子会議システム用管理サーバ。
【請求項６】
前記発言情報受信手段は、前記複数の端末装置において少なくとも一つの発言情報が送信されているか否かを判別する発言情報到達判別手段を含み、その発言情報到達判別手段の判別結果から、一つの発言情報も送信していないと判別された端末装置に対しては、発言情報の送信を促す発言情報送信依頼手段と、を備えたことを特徴とする請求項１から請求項５のいずれかに記載の電子会議システム用管理サーバ。
【請求項７】
前記コミットメント生成手段は、問題点に対して提示された解決案に関連する業務を担当している参加者が作成可能なように、その参加者に係る端末装置にコミットメントの作成依頼情報を送信するコミットメント作成依頼情報送信手段を備えたことを特徴とする請求項１から請求項６のいずれかに記載の電子会議システム用管理サーバ。
【請求項８】
前記質問用フォーマットに変換された問題点を解決するための状況の確認データを端末装置から受信する状況の確認データ受信手段と、その受信した状況の確認データが事実・感情・意見のいずれであるかを判別する状況確認判別手段と、その状況確認判別手段によって意見であると判別された場合には、事実または感情に修正するかを問う修正入力確認手段を備えたことを特徴とする請求項１から請求項７のいずれかに記載の電子会議システム用管理サーバ。
【請求項９】
前記会議の目的が達成したか否かを確認するための達成状況確認送信手段を備えたことを特徴とする請求項１から請求項８のいずれかに記載の電子会議システム用管理サーバ。
【請求項１０】
電子会議に参加する複数の端末装置からネットワーク接続されるとともに、各端末装置に対して電子会議に係る情報を表示可能としたコンピュータプログラムであって、
そのコンピュータプログラムは、前記端末装置の入力手段から入力された議題に関する状況の確認データや問題の解決案などの発言情報を受信する発言情報受信手順と、
その発言情報受信手順が受信した発言情報を、参加者に係る端末装置には一時的に表示せずに一旦集積する発言情報集積手順と、
電子会議の進行役である議長の判断により当該議長に係る議長側端末装置の入力手段が、集積した発言情報の公開許可信号を送信した場合に、前記発言情報を電子会議に参加している全ての端末装置に対して送信する発言情報送信手順と、
前記各端末装置の入力手段が入力した複数の問題点を受信するとともに、それら問題点から、いずれの問題点を議題とするかを決定するための投票受付手順と、
前記発言情報に基づいて、議長側端末装置および参加者側端末装置に対して、コミットメント作成用の入力欄を表示させるとともに、前記議長側端末装置または参加者側端末装置がそのコミットメント作成用の入力欄にコミットメントを入力し、コミットメントを依頼する相手に前記入力したコミットメントを送信するコミットメント生成手順と、
をコンピュータに実行させることとしたコンピュータプログラム。
【請求項１１】
電子会議に参加する参加者から送信された会議の目的を受信するとともに、その電子会議の目的を各端末装置に送信して表示する会議目的送信手順を備えたことを特徴とする請求項１０記載のコンピュータプログラム。
【請求項１２】
前記投票受付手順は、複数の問題点に対して投票された投票数が同一票数であるか否かを判別する投票数判別手順と、その投票数判別手順が複数の問題点に対して投票された投票数が同一票数であると判別した場合に、前記各端末装置に再投票を促す旨を送信する再投票指示送信手順と、を備えたことを特徴とする請求項１０または請求項１１のいずれかに記載のンピュータプログラム。
【請求項１３】
前記再投票指示送信手順は、再投票に必要な複数の問題が含まれるとともに、投票可能な有効投票数が前記各端末装置ごとに設定されていることを特徴とする請求項１２記載のコンピュータプログラム。
【請求項１４】
前記端末装置の入力手段が入力した問題点を受信するとともに、その入力された問題点を予め定められた質問用フォーマットに変換し、その質問用フォーマットを用いることで前記端末装置が質問用文書として作成可能な質問用フォーマット送信手順を備えたことを特徴とする請求項１０から請求項１３のいずれかに記載のコンピュータプログラム。
【請求項１５】
前記発言情報受信手順は、前記複数の端末装置において少なくとも一つの発言情報が送信されているか否かを判別する発言情報到達判別手順を含み、その発言情報到達判別手順の判別結果から、一つの発言情報も送信していないと判別された端末装置に対しては、発言情報の送信を促す発言情報送信依頼手順と、を備えたことを特徴とする請求項１０から請求項４のいずれかに記載のコンピュータプログラム。
【請求項１６】
前記コミットメント生成手順は、問題点に対して提示された解決案に関連する業務を担当している参加者が作成可能なように、その参加者に係る端末装置にコミットメントの作成依頼情報を送信するコミットメント作成依頼情報送信手順を備えたことを特徴とする請求項１０から請求項１５のいずれかに記載のコンピュータプログラム。
【請求項１７】
前記質問用フォーマットに変換された問題点を解決するための状況の確認データを端末装置から受信する状況の確認データ受信手順と、その受信した状況の確認データが事実・感情・意見のいずれであるかを判別する状況確認判別手順と、その状況確認判別手順によって意見であると判別された場合には、事実または感情に修正するかを問う修正入力確認手順を備えたことを特徴とする請求項１０から請求項１６のいずれかに記載のコンピュータプログラム。
【請求項１８】
前記会議の目的が達成したか否かを確認するための確認情報を送信する達成状況確認送信手順を備えたことを特徴とする請求項１０から請求項１７のいずれかに記載のコンピュータプログラム。
【発明の詳細な説明】
【技術分野】
【０００１】
本発明は、電子会議システム用の管理サーバ及びコンピュータプログラムに関し、特に、電子会議の有効性の向上に配慮した情報処理の技術に関する。
【背景技術】
【０００２】
従来、電子会議の参加者は、同一の場所に集合し、思考時間を時計等で計測しながら発言内容を紙に記載し、発言と同時にホワイトボードなどに進行状況に応じて発言用紙を貼り付ける。その後、発言用紙を参加者達によってマージ、グループ化または取捨していくことで今後の行動を決定してきた。そして、発言用紙をパソコンでタイピングして電子文書化し、電子会議の成果としてのコミットメントを作成し、参加者に配布していた。
【０００３】
ここで、電子会議に関する先行技術として、特開２００４−９４８３４を抽出した。
この技術は、会議参加者が使用する各情報処理装置での同期処理を不要とすることができ、かつ、各情報処理装置から発散的に生成／提供される情報の関係をその場で整理することができる。このため、効率的な情報収集や情報把握を行うことができる電子会議システムの技術について開示されている（例えば、特許文献1参照）。
【０００４】
【特許文献１】特開２００４−９４８３４号公報
【発明の開示】
【発明が解決しようとする課題】
【０００５】
一方、通常の会議（以後、リアル会議と表記する）において、最も問題となることは、『本来提案されるべく意見』が提案されないことである。では、なぜ提案されないのだろうか。この原因としては、次のようなことが考えられる。
まず、人間的な感情が会議に影響を与えるため、合理的な会議運営の妨げになることにある。
これは例えば、そのリアル会議（例えば部内会議）における出席者の中で地位の高い人間（例えば部長）が提案した議題や意見などは、非常に通りやすい（または落とされにくい）ことにある。
これは、一般社員側の立場や気持ちになれば明白であるが、『部長の意見であれば反論できない。』、『部長の提案した議題ならば議論する価値があるはず。』といった雰囲気が会議出席者の中に生まれてしまう。その結果、本来議論しなければならない箇所とは離れた『人間的な感情の部分』に影響されてしまうことが多いからである。そして、反射的に、一般社員から提案される可能性があった有益な意見などは、埋もれてしまう。有益な意見が埋もれてしまうことは、結果的には当該会議が開催された組織の損失につながってしまうことにもなる。
【０００６】
また、リアル会議においては、会議で議論する問題点が分散しやすい上、複数ある問題点を解決するための優先順位も付けにくい。これは、意見交換ルールの煩雑さなども影響している。
【０００７】
なお、前述した特許文献および現状知られている電子会議の技術においても本課題を解決するための有効な手段は記載されていない。
したがって、議題を絞って議論を集中でき、且つ問題点の優先順位を厳格にして運用可能であり、しかも会議における有用な意見や提案を埋もれさせない、という運用が可能な会議運営システムの登場が望まれていた。
【０００８】
請求項１から請求項９記載の目的は、議題を絞って議論を集中でき、且つ問題点の優先順位を厳格にして運用可能であり、しかも会議における有用な意見や提案を埋もれさせない、という運用が可能な電子会議システム用管理サーバを提供することにある。
請求項１０から請求項１８記載の目的は、議題を絞って議論を集中でき、且つ問題点の優先順位を厳格にして運用可能であり、しかも会議における有用な意見や提案を埋もれさせない、という運用が可能なコンピュータプログラムを提供することにある。
【課題を解決するための手段】
【０００９】
（請求項１）
請求項１記載の発明は、電子会議に参加する複数の端末装置からネットワーク接続されるとともに、各端末装置に対して電子会議に係る情報を表示可能とした管理サーバを提供する。
すなわち、前記端末装置の入力手段から入力された議題に関する状況の確認データや問題の解決案などの発言情報を受信する発言情報受信手段と、その発言情報受信手段が受信した発言情報を、参加者に係る端末装置には一時的に表示せずに一旦集積する発言情報集積手段と、電子会議の進行役である議長の判断により当該議長に係る議長側端末装置の入力手段が、集積した発言情報の公開許可信号を送信した場合に、前記発言情報を電子会議に参加している全ての端末装置に対して送信する発言情報送信手段と、前記各端末装置の入力手段が入力した複数の問題点を受信するとともに、それら問題点から、いずれの問題点を議題とするかを決定するための投票受付手段と、前記発言情報に基づいて、議長側端末装置および参加者側端末装置に対して、コミットメント作成用の入力欄を表示させるとともに、前記議長側端末装置または参加者側端末装置がそのコミットメント作成用の入力欄にコミットメントを入力し、コミットメントを依頼する相手に前記入力したコミットメントを送信するコミットメント生成手段と、を備えた電子会議システム用管理サーバに係る。
【００１０】
（用語説明）
「発言情報」とは、電子会議に参加する参加者または議長が発表した、議題、問題点、問題点に対する解決案などの発言内容のことである。この発言情報は、例えば、一発言を一ブロックとしてディスプレイに表示され、参加者の氏名や日時情報とともに記憶手段や情報データベースなどに記録される。
「発言情報集積手段」とは、電子会議の参加者が、他の参加者の意見や発言を閲覧することなく、電子会議を進行するために設けられた機能である。この機能によれば、各参加者は他の参加者の意見に左右されず、また閲覧することができないので、自力で会議の議題について考える時間を半強制的にもってもらうことになる。このため、電子会議に対する参加意欲や真剣度などが向上し、より積極的な意見交換の促進に期待できる。なお、ここで集積された発言情報は一時的な集積であり、会議の進行役である議長の判断に応じて参加者に公開することができる。
【００１１】
「入力手段」とは、端末装置に設けられたキーボード、マウス及び音声入力に使用するマイクなどのことである。
「表示手段」とは、端末装置に接続されたディスプレイのことである。
「コミットメント」とは、電子会議で決められた約束事及び議事録のことである。なお、コミットメント生成機能は、記憶手段や情報データベースなどに記憶されるとともに、このコミットメント生成機能によって生成された約束事をデジタルデータとして会議参加者に配布する機能である。
【００１２】
（作用）  
管理サーバは、発言情報受信手段が各端末装置（参加者側端末装置であれば参加者）の入力手段が入力した状況の確認データ及び問題の解決案などの発言情報を受信する。
その発言情報を受信した管理サーバは、発言情報集積手段が参加者側端末装置には発言情報を表示しないでおく。ここで、議長の操作によって議長側端末装置から公開許可信号を受信した場合には、全ての端末装置に対して発言情報を送信して内容を公開する。
また、投票受付手段が参加者の操作によって参加者側端末装置から投票された票をもとに、どの問題を会議の議題とするかを決定する。
管理サーバは、記憶手段に記憶された発言情報に基づいて、議長側端末装置および参加者側端末装置に対して、コミットメント作成用の入力欄を表示させる。議長側端末装置は議長の操作により、また参加者側端末装置は参加者の操作により表示されたコミットメント作成用の入力欄にコミットメントを入力することで、参加者に対するコミットメントが生成される。
すなわち、投票受付手段が電子会議に参加している参加者達の間で、どの議題で会議を行うか手順をおって取り決めることができるので、議題を絞って議論を集中することができる。
また、電子会議というのは、無駄な会話を行うようなことがなく、ある意味『無機質』に進行していくものである。本発明では、予め会議の手順が決まっているので、その手順に沿って進行していくだけで、議論する問題点の分散を防止している。これにより、会議の進行手順や優先順位の厳格化に寄与する。
さらに、電子会議はリアル会議とは異なり、会議の参加者同士が顔をあわせなくても良い。また参加者の中に自分よりも地位が上の人や自分の上司が出席していても、本発明のような構成とすることで、提出された意見において『人間的な感情』や『事実』を識別することができ、会議のスムーズな進行に寄与する。結果として『本来提案されるべく有益な意見』の提案が容易になる。
【００１３】
また、電子会議によるコミットメントを参加者の中で担当者を決め、議事録を作成して参加者に配布する手間などの処理を記憶手段に記憶したデータから生成できる。このため、電子会議後に必要な処理を会議中に実施することができるので利便性に優れたシステムとなっている。
なお、ネットワークとは、イントラネットまたはインターネットのことである。ネットワークの形態としては、社内ＬＡＮ型とインターネット型がある。社内ＬＡＮ型は、管理サーバと社内の端末装置や事業所単位の端末装置などがそれぞれ接続して電子会議を行う。一方、インターネット型は、管理サーバと各端末装置がインターネット回線を通じて電子会議を行う形態である。
【００１４】
（請求項２）
請求項２記載の発明は、請求項１記載の電子会議システム用管理サーバを限定したものである。
すなわち、前記電子会議に参加する参加者から送信された会議の目的を受信するとともに、その電子会議の目的を各端末装置に送信して表示する会議目的送信手段を備えたことを特徴とする。
【００１５】
（作用）
電子会議を開始する前に、個々の参加者が目的設定の入力を行う。管理サーバは、会議目的送信手段が各参加者側端末装置から送信された会議の目的を受信する。
すなわち、『本日の会議の目的』という名目などで電子会議の目的を事前に設定しておくことで、目的意識を明確にした状態で会議に臨むことが可能となる。
【００１６】
（請求項３）
請求項３記載の発明は、請求項１または請求項２のいずれかに記載の電子会議システム用管理サーバを限定したものである。
すなわち、前記投票受付手段は、複数の問題点に対して投票された投票数が同一票数であるか否かを判別する投票数判別手段と、その投票数判別手段が複数の問題点に対して投票された投票数が同一票数であると判別した場合に、前記各端末装置に再投票を促す旨を送信する再投票指示送信手段と、を備えたことを特徴とする。
【００１７】
（作用）
本発明は、電子会議の参加者によって議題として挙げられた複数の問題点の中から、一つの問題点を議題として決定するための処理である。
すなわち、参加者が複数の問題点の中から投票数分（例えば３票）の問題点を選択して投票する。管理サーバの投票数判別手段が、参加者によって投票された問題点に対し、各参加者の投票により投票数が同一票数であるか否かを判別する。同一票数であると判別されると、一つの問題点を抽出するために再投票を行うための処理を実行する。このようにすれば多数決方式で解決する問題点を決めることができるので、合理的な取り決めを行うことが可能となる。
【００１８】
（請求項４）
請求項４記載の発明は、請求項３記載の電子会議システム用管理サーバを限定したものである。
すなわち、前記再投票指示送信手段は、再投票に必要な複数の問題が含まれるとともに、投票可能な有効投票数が前記各端末装置ごとに設定されていることを特徴とする。
【００１９】
（作用）
管理サーバは、最初の投票において同一票数となった問題が二つの場合には、その二つの問題を各参加者に再度送信する。また、三つの場合には、その三つの問題を各参加者に再度送信する。
そして、再投票指示送信手段が、各参加者が投票可能な票数を設定する。ここで設定される票数としては、一票や二票など任意に決定してもよい。なお、投票可能な票数の設定としては、参加者から提出された数量（意見の数）に基づいて、投票可能な票数を算出する、というアルゴリズムを用いることもできる。再々投票などを行う時間がない場合や、会議の遅延防止のためには、設定票数を一票に設定すればよい。
【００２０】
（請求項５）
請求項５記載の発明は、請求項１から請求項４のいずれかに記載の電子会議システム用管理サーバを限定したものである。
すなわち、前記問題点に対しての解決案として提案された解決案データを前記端末装置から受信する解決案データ受信手段と、その解決案データとは異なる追加解決案の提案を前記端末装置に対して指示するための追加解決案入力指示手段を備えたことを特徴とする。
【００２１】
（作用）
参加者の操作によって参加者側端末装置から送信した問題点に対する解決案データを管理サーバが受信する。
管理サーバは、その解決案データを受信すると、その解決案データとは異なる追加解決案データの送信を指示する。
ここで、『解決案データ』とは、常識的なレベルの解決案のことである。
『追加解決案』とは、常識には囚われないレベルの解決案（くだらないアイディア）のことである。
例えば、問題点が『人材不足』であるとする。すると通常の解決案であれば、『人材派遣会社へ登録する』などの至極もっともであるが、誰もが考えるであろう解決案が返ってくることが多い。
これに対し、『追加解決案』はくだらないアイデアで良い、という指示をするので、『人材不足』という問題点に対し、『人材募集とプリントされたＴシャツを着てカフェに行く』というような、非常識的な発想を求めることとなる。
このため、既成概念に囚われないレベルの解決案を集めることで、課題に対する解決案を広く集める効果に期待できる。
【００２２】
（請求項６）
請求項６記載の発明は、請求項１から請求項５のいずれかに記載の電子会議システム用管理サーバを限定したものである。
すなわち、前記発言情報受信手段は、前記複数の端末装置において少なくとも一つの発言情報が送信されているか否かを判別する発言情報到達判別手段を含み、その発言情報到達判別手段の判別結果から、一つの発言情報も送信していないと判別された端末装置に対しては、発言情報の送信を促す発言情報送信依頼手段と、を備えたことを特徴とする。
【００２３】
（作用）
管理サーバの発言情報到達判別手段が、電子会議に参加している全ての参加者側端末装置の発言情報の送信状況をチェックする。
発言情報到達判別手段によって全ての参加者側端末装置のうち、どれか一つでも発言情報を送信していないことを認識すると、発言情報送信依頼手段がその該当する参加者側端末装置に対して何か発言をするように依頼するため発言情報の依頼送信処理を行う。
電子会議が進行する上で、各参加者は問題点や意見などを各自端末装置から送信する。この際、参加者によっては自分の意見を発言（送信）しない場合がある。本発明はこのような場合に対応したものであり、発言情報到達判別手段によって発言をしている参加者と発言をしていない参加者とを判別し、発言をしていない参加者の端末装置に対しては発言情報を送信しないと会議の進行ができないように処理している。
この処理としては、例えば、発言情報を送信することで初めて「意見提出の完了報告ボタン」が送信できるようにしておき、この「意見提出の完了報告ボタン」を押さないと会議が進行できないようにする、などが考えられる。このようにすれば、電子会議の参加者全員が積極的な意見交換を行う会議を開催することに期待できる。
ただし、この機能を絶対的な会議進行の条件として設定すると、万が一発言ができなくなった場合の支障となるおそれがある。このため、オプションとして別途設定可能なようにすることができる。すなわち、仮に電子会議で発言しない人がいたとしても、システム上では会議進行が可能となっている。
【００２４】
（請求項７）
請求項７記載の発明は、請求項１から請求項６のいずれかに記載の電子会議システム用管理サーバを限定したものである。
すなわち、前記コミットメント生成手段は、問題点に対して提示された解決案に関連する業務を担当している参加者が作成可能なように、その参加者に係る端末装置にコミットメントの作成依頼情報を送信するコミットメント作成依頼情報送信手段を備えたことを特徴とする。
【００２５】
（用語説明）
「コミットメントの依頼」とは、電子会議に参加している参加者のみに依頼することができる。このコミットメントの依頼時には、『コミットメントの内容』および『コミットメントの期限』を依頼時に明確に記載することとしている。  
（作用）
管理サーバは、コミットメント生成手段が電子会議で提示された問題点に対し、各参加者が他案の解決策を閲覧することなく自らの解決案を提案する。そして、それら複数の解決案に関連する部署の参加者によって解決する解決案を担当する。
つまり、それぞれの解決案は、コミットメント作成依頼情報送信手段がその解決案に関連する業務を担当している参加者が作成可能なように、その参加者に係る端末装置に作成依頼情報を送信する。
これにより各参加者は、電子会議の会議中においてコミットメントの生成からコミットメントの依頼までが可能となるので、通常の会議のように会議後にコミットメントを作成するという手間が不要となる。
【００２６】
（請求項８）
請求項８記載の発明は、請求項１から請求項７のいずれかに記載の電子会議システム用管理サーバを限定したものである。
すなわち、前記質問用フォーマットに変換された問題点を解決するための状況の確認データを端末装置から受信する状況の確認データ受信手段と、その受信した状況の確認データが事実・感情・意見のいずれであるかを判別する状況確認判別手段と、その状況確認判別手段によって意見であると判別された場合には、事実または感情に修正するかを問う修正入力確認手段を備えたことを特徴とする。
【００２７】
（作用）
管理サーバは、状況の確認データ受信手段が、端末装置から質問用フォーマットに変換された問題を解決するための状況の確認データを受信する。そして、状況確認判別手段が質問用フォーマットに変換された状況の確認が参加者の事実・感情・意見のいずれであるかを判別する。ここで、意見であると判別されると、事実または感情に修正するかを修正入力確認手段が問う。修正入力確認手段とは、例えば、修正ダイアログなどを表示することである。
すなわち、参加者が、問題を踏まえて入力した現状の確認が、『感情・意見』であれば主観的な意見であること、また『客観的事実』であれば客観的な意見であることを
他の参加者も含めて把握することができる。
【００２８】
（請求項９）
請求項９記載の発明は、請求項１から請求項８のいずれかに記載の電子会議システム用管理サーバを限定したものである。
すなわち、前記会議の目的が達成したか否かを確認するための確認情報を送信する達成状況確認送信手段を備えたことを特徴とする。
【００２９】
（作用）
管理サーバは、達成状況確認送信手段が本日の会議の目的が達成したか否かを確認するための確認情報を各参加者側端末装置に送信する。各参加者が会議開始時に設定した自らの『本日の目的』が達成できたか否かを選択して記録して残しておくことで、当該会議の成果確認が可能となる。また、今後の会議の参考ログとしても利用可能となる。なお、送信するタイミングとしては、電子会議の最終段階でとなる。
【００３０】
（請求項１０）
請求項１０記載の発明は、電子会議に参加する複数の端末装置からネットワーク接続されるとともに、各端末装置に対して電子会議に係る情報を表示可能としたコンピュータプログラムに係る。
そのコンピュータプログラムは、前記端末装置の入力手段から入力された議題に関する状況の確認データや問題の解決案などの発言情報を受信する発言情報受信手順と、
その発言情報受信手順が受信した発言情報を、参加者に係る端末装置には一時的に表示せずに一旦集積する発言情報集積手順と、
電子会議の進行役である議長の判断により当該議長に係る議長側端末装置の入力手段が、集積した発言情報の公開許可信号を送信した場合に、前記発言情報を電子会議に参加している全ての端末装置に対して送信する発言情報送信手順と、
前記各端末装置の入力手段が入力した複数の問題点を受信するとともに、それら問題点から、いずれの問題点を議題とするかを決定するための投票受付手順と、
前記発言情報に基づいて、電子会議に係るコミットメントを生成するコミットメント生成手順と、
をコンピュータに実行させることとしたコンピュータプログラムである。
【００３１】
（請求項１１）
請求項１１記載の発明は、請求項１０に記載のコンピュータプログラムを限定したものである。
すなわち、電子会議に参加する参加者から送信された会議の目的を受信するとともに、その電子会議の目的を各端末装置に送信して表示する会議目的送信手順を備えたことを特徴とする。
【００３２】
（請求項１２）
請求項１２記載の発明は、請求項１０または請求項１１のいずれかに記載のンピュータプログラムを限定したものである。
すなわち、前記投票受付手順は、複数の問題点に対して投票された投票数が同一票数であるか否かを判別する投票数判別手順と、その投票数判別手順が複数の問題点に対して投票された投票数が同一票数であると判別した場合に、前記各端末装置に再投票を促す旨を送信する再投票指示送信手順と、を備えたことを特徴とする。
【００３３】
（請求項１３）
請求項１３記載の発明は、請求項１２に記載のコンピュータプログラムを限定したものである。
すなわち、前記再投票指示送信手順は、再投票に必要な複数の問題が含まれるとともに、投票可能な有効投票数が前記各端末装置ごとに設定されていることを特徴とする。
【００３４】
（請求項１４）
請求項１４記載の発明は、請求項１０から請求項１３のいずれかに記載のコンピュータプログラムを限定したものである。
すなわち、前記端末装置の入力手段が入力した問題点を受信するとともに、その入力された問題点を予め定められた質問用フォーマットに変換し、その質問用フォーマットを用いることで前記端末装置が質問用文書として作成可能な質問用フォーマット送信手順を備えたことを特徴とする。
【００３５】
（請求項１５）
請求項１５記載の発明は、請求項１０から請求項１４のいずれかに記載のコンピュータプログラムを限定したものである。
前記発言情報受信手順は、前記端末装置から少なくとも一つの発言情報が送信されているか否かを判別する発言情報到達判別手順を含み、その発言情報到達判別手順の判別結果から、一つの発言情報も送信していないと判別された端末装置に対しては、発言情報の送信を促す発言情報送信依頼手順と、を備えたことを特徴とする。
【００３６】
（請求項１６）
請求項１６記載の発明は、請求項１０から請求項１５のいずれかに記載のコンピュータプログラムを限定したものである。
すなわち、前記コミットメント生成手順は、問題点に対して提示された解決案に関連する業務を担当している参加者が作成可能なように、その参加者に係る端末装置にコミットメントの作成依頼情報を送信するコミットメント作成依頼情報送信手順を備えたことを特徴とする。
【００３７】
（請求項１７）
請求項１７記載の発明は、請求項１０から請求項１６のいずれかに記載のコンピュータプログラムを限定したものである。
すなわち、前記質問用フォーマットに変換された問題点を解決するための状況の確認データを端末装置から受信する状況の確認データ受信手順と、その受信した状況の確認データが事実・感情・意見のいずれであるかを判別する状況確認判別手順と、その状況確認判別手順によって意見であると判別された場合には、事実または感情に修正するかを問う修正入力確認手順を備えたことを特徴とする。
【００３８】
（請求項１８）
請求項１８記載の発明は、請求項１０から請求項１７のいずれかに記載のコンピュータプログラムを限定したものである。
すなわち、前記会議の目的が達成したか否かを確認するための達成状況確認送信手順を備えたことを特徴とする。
【００３９】
請求項１０から請求項１８に記載のコンピュータプログラムを、記録媒体へ記憶させて提供することもできる。ここで、「記録媒体」とは、それ自身では空間を占有し得ないプログラムを担持することができる媒体であり、例えば、フレキシブルディスク、ハードディスク、ＣＤ−Ｒ、ＭＯ（光磁気ディスク）、ＤＶＤ−Ｒ、フラッシュメモリなどである。また、この発明に係るプログラムを格納したコンピュータから、通信回線を通じて他の端末装置へ伝送することも可能である。
【発明の効果】
【００４０】
請求項１から請求項９に記載の発明によれば、議題を絞って議論を集中でき、且つ問題点の優先順位を厳格にして運用可能であり、しかも会議における有用な意見や提案を埋もれさせない、という運用が可能な電子会議システム用管理サーバを提供することができた。
請求項１０から請求項１８記載の発明によれば、議題を絞って議論を集中でき、且つ問題点の優先順位を厳格にして運用可能であり、しかも会議における有用な意見や提案を埋もれさせない、という運用が可能なコンピュータプログラムを提供することができた。
【発明を実施するための最良の形態】
【００４１】
以下、図面を参照して本発明に係る実施形態について説明する。ここで使用する図面は、図１から図７９である。
図１は、電子会議システムの全体構成を示した概略図であり、図２は、管理サーバのハードウェア構成を示したブロック図であり、図３は、端末装置のハードウェア構成を示したブロック図であり、図４から図６は、端末装置のＧＵＩを示した概略図であり、図７から図２６は、ユーザ登録から目的の確認までの処理を示した図であり、図２７から図３８は、問題抽出の処理等示した図であり、図３９から図４６は、抽出された問題点を決定するための投票および再投票の処理を示した図であり、図４７から図５４は、電子会議で議論する問題に対しての状況確認処理を示した図であり、図５５から図６３は、会議で議論する問題に対しての解決策の提示処理を示した図であり、図６４から図７３は、会議で決定したコミットメントの作成処理を示した図であり、図７４から図７９は、本日の達成の作成処理を示した図である。
【００４２】
(全体構成)
図１に示す電子会議システムは、電子会議に参加した複数の参加者側端末装置（端末装置）２０と、その参加者側端末装置２０の中から会議の進行役として選出された議長側端末装置（端末装置）３０と、これら各端末装置２０，３０に対してデータ送受信やデータ管理等を行う機能を備えた管理サーバ１０とがインターネットを介して相互に接続されている。
また、各参加者による発言内容が共有情報として各端末装置２０，３０のディスプレイ（表示手段）に表示され、その発言内容は必要に応じて情報データベース５０に記録される。そして、参加者それぞれが意見交換や投票などを行うことによって、会議の成果であるコミットメントを作成し、その成果物である議事録を生成していくシステムである。
【００４３】
（管理サーバ）
図２は、管理サーバ１０のハードウェア構成を示したブロック図である。
管理サーバ１０は、アプリケーションサーバとして機能し、当該管理サーバ１０の全体の制御を行うとともに、各種演算処理を行うＣＰＵ１１、各種データを書き込む際に、それらのデータを一時的に展開するＲＡＭ１２、オペレーティングシステム、アプリケーションソフトおよび各種データが記憶される記憶部１３、マウスやキーボード等の入力部１４、ディスプレイなどの表示部１５、インターネットやイントラネットなどの電気通信回線に接続可能な通信部１６、各種データをプリンタ等に出力可能な出力部１７および各種データの入出力部である入出力ポート１８を備えて構成されている。記憶部１３には、参加者側端末装置２０及び議長側端末装置３０で表示する画面にリンクされたファイル、画像イメージ、ムービー、音声、文章などが記録されている。また、管理サーバ１０の第二記憶装置として情報データベース５０を備えており、管理サーバ１０と相互にデータの送受信を可能としている。
【００４４】
情報データベース５０には、参加者の氏名等の参加者情報のほか、参加者に係る端末装置から入力された発言情報を記憶する。
なお、情報データベース５０は、管理サーバ１０に内蔵されているが、外部記録装置として物理的に離れた場所に設置することも可能である。
【００４５】
（管理サーバの機能）
管理サーバ１０は、参加者側端末装置２０および議長側端末装置３０の入力手段が入力した状況の確認データ及び問題の解決案などの発言情報を受信する発言情報受信手段と、その発言情報受信手段が受信した発言情報を、参加者側端末装置２０には一時的に表示せずに一旦集積する発言情報集積手段と、電子会議の進行役である議長の判断により当該議長に係る議長側端末装置３０の入力手段１４が、集積した発言情報の公開許可信号を送信した場合に、発言情報を電子会議に参加している全ての端末装置２０、３０に対して送信する発言情報送信手段と、各端末装置２０、３０の入力手段が入力した複数の問題点を受信するとともに、それら問題点から、いずれの問題点を議題とするかを決定するための投票受付手段と、発言情報に基づいて、電子会議に係るコミットメントを生成するコミットメント生成手段と、を少なくとも備えている。
【００４６】
ここで「発言情報」とは、電子会議に参加する参加者及び議長が送信した、本日の目的、状況の確認データおよび問題の解決案などの発言内容のことである。この発言情報は、ディスプレイに表示され、参加者の氏名や日時情報とともに記憶部１３や情報データベース５０に記録される。
「発言情報集積手段」とは、電子会議の参加者が、他の参加者の意見や発言を閲覧することなく、電子会議を進行するために設けられた機能である。この機能によれば、他の参加者の意見を閲覧できないので各参加者は他の参加者の意見に左右されず、自力で会議の議題について考える時間を半強制的に与えられることになる。このため、電子会議に対する参加意欲や真剣度などが向上し、より積極的な意見交換の促進に期待できる。なお、ここで集積された発言情報は一時的なものであり、会議の進行役である議長の判断に応じて参加者に公開することができる。
「入力手段」とは、端末装置に設けられたキーボードやマウス、音声入力に使用するマイクなどのことである。
【００４７】
（会議目的設定機能）
管理サーバ１０は、会議目的設定機能を備えている。
会議目的設定機能とは、電子会議を開始する前に、個々の参加者が目的設定の入力を行うものである。すなわち、『本日の会議の目的』という名目などで電子会議の目的を事前に設定しておくことで、目的意識を明確化した状態で会議に臨むことが可能となる。このようにすれば、緊張感の持続やアイデア抽出の向上に寄与するからである。
【００４８】
（会議終了時間設定機能）
管理サーバ１０は、会議終了時間設定機能を備えている。
会議終了時間設定機能とは、図１０に示すように、会議の終了目標時間を設定することが可能な機能である。
例えば、会議終了時間を『９０分』と設定した場合、会議開始時間が『１４：００』であれば会議終了時間は『１５：３０』にセットされる。
そして、『１５：３０』までの時間をカウントダウンによって表示する。電子会議の残り時間については、図１４などに示す『◆進捗』の右に『残り５１分』などと表示される。会議終了時間設定機能を設けることにより、会議の残り時間を視覚的に意識することになり、緩慢な会議となることの防止や時間に対しての意識向上に寄与する。
【００４９】
（発言情報確認機能）
管理サーバ１０は、発言情報確認機能を備えている。
電子会議が進行する上で、各参加者は問題点や意見などを端末装置から送信するが、この際、参加者によって自分の意見を発言（送信）しない場合がある。発言情報確認機能とはこれをチェックするための機能である。
発言情報確認機能では、発言情報到達判別手段によって全ての参加者の中から発言をしていない参加者を判別し、その端末装置に対しては発言情報を送信しないと会議の進行が行われないように設定される。
つまり、電子会議に参加する全ての参加者が発言情報を送信することで初めて「意見提出の完了報告ボタン」が送信できる仕様となっている。このため、参加者全員によって積極的な意見交換を行う会議が期待できる。
【００５０】
（意見報告積算機能）
管理サーバ１０は、意見報告積算機能を備えている。
意見報告積算機能とは、参加者が意見を記載するために要した積算時間のことであり、図２４に示すように、各参加者名の右側に表示されている。
また、この『意見報告積算機能』は、各参加者がクリックした順にソートされるようになっている。このため、どの参加者が終わっていないか、どの参加者が会議の効率を下げているのか、どのような順序で記載が完了しているのか、などが把握できるようになる。
意見報告積算機能を搭載することにより、意見の提出が最後の数人になると一定のプレッシャーが掛かるため、会議が緩慢な状態となることを防止する。
【００５１】
（個別メッセージング機能）
管理サーバ１０は、個別メッセージング機能を備えている。
個別メッセージング機能とは、個別の参加者に対してシークレットによるメッセージ送信が可能な機能である。
図１５などに示すように、議長側端末装置の画面には、「参加者名」「×」「話す」というボタンがあり、このうち、「話す」ボタンをクリックすると、該当する参加者に対して個別メッセージを送ることが可能となる。個別メッセージを送信する機会としては、以下のような場合が考えられる。
・深刻に考えすぎてアイデアがでにくい場合、（アイデアが出やすくなるようにアドバイスをする）。
・会議全体の雰囲気が悪くなっている場合（「何かジョークを言って下さい」など指示をして場を和ませる）。
すなわち、他の参加者には気づかれないように特定の参加者のみにメッセージを送信するための機能である。
【００５２】
（質問用フォーマット送信機能）
管理サーバ１０は、質問用フォーマット送信機能を備えている。
この質問用フォーマット送信機能は、参加者側端末装置２０の入力手段が入力した問題点を受信するとともに、その入力された問題点を予め定められた質問用フォーマットに変換し、その質問用フォーマットを用いることで参加者側端末装置２０が質問用文書を作成可能とした機能である。
【００５３】
例えば、参加者が抱えている問題の一例に、[帰社後の事務処理に多くの時間が掛かってしまっているが、どうしたら良いか？]という問題があるとする。
この場合、事務処理における長時間業務が問題視されていることが背景にあるので次にように変換することができる。
『どのようにすれば帰社後の事務処理時間を短縮できるか？』
また、事務処理における効率が問題視されている場合であれば、
『どのようにすれば帰社後の事務処理効率を上げられるか？』というように変換される。
【００５４】
すなわち、電子会議の参加者が問題点を入力する場合、通常であると、「帰社後の事務処理に時間が掛かり大変である」というような形式で入力されることが多い。これを質問用フォーマットとして送信すると、「どのようにすれば、帰社後の事務処理時間を効率化できるか？」などに変換することが容易になる。すなわち、予め、質問用フォーマットに変換できるような形式を送信すれば、参加者は問題提起に対しての解決案の記入が容易になる。
【００５５】
（投票機能）
管理サーバ１０は、投票機能を備えている。
この投票機能は、電子会議の参加者のそれぞれが問題提起した問題点の中で、どの問題点を会議の議題としていくかを各参加者によって投票し、その投票数に応じて議題を決定していく、いわゆる多数決方式の機能となっている。参加者一人当たりの投票可能票数は、議長が任意に決定することができる。
また、この投票機能には、投票された票数が同じだった場合に、再投票する再投票機能を備えている。例えば、最も多く投票された『議題』がそれぞれ４票づつ投票されてしまい同点だったとする。この場合、再投票機能として、同票数となった『議題』のうち、どちらかに再度１票投票することで『議題』を決めるようにしている。
ただし、投票可能な票数の設定としては、参加者から提出された数量（意見の数）に基づいて、投票可能な票数を算出する、というアルゴリズムを用いることもできる。
管理サーバ１０が投票機能を備えたことで、参加者全員で多くの問題点を抽出し、その問題点の中から最も解決すべき問題を全員で決定し、その後の問題解決策の提示までの一連の流れをスムーズに行うことができるので、合理的な会議進行に寄与する。
【００５６】
（コミットメント作成機能）
管理サーバ１０は、コミットメント作成機能を備えている。このコミットメント作成機能は、記憶部１４や情報データベース５０に記憶された発言情報に基づいて作成される。具体的には、管理サーバ１０のコミットメント生成手段が、問題点に対して提示された解決案に関連する業務を担当している参加者がコミットメントを作成可能なように、参加者側端末装置２０に対してコミットメントの作成依頼情報を送信することで実現される。
【００５７】
すなわち、電子会議で提示された問題点に対し、各参加者が解決案を提案する。議長及び参加者は、それら複数の解決案の中から良い解決案を決定する。
決定された解決案は、コミットメント作成依頼情報送信手段が解決案を提案した参加者に作成してもらうために、その参加者に係る端末装置に作成依頼を送信する。
該当する端末装置では、その作成依頼を受けるか否かの選択ができるようになっている。
すなわち、電子会議の会議中においてコミットメントの生成が可能となるので、通常の会議のように会議後にコミットメントを作成するという手間が不要となる。
なお、コミットメントの依頼は、コミットメントの実行率を高めるため電子会議参加
者にしか依頼することができないようになっている。
【００５８】
（端末装置）
図３は、端末装置のハードウェア構成を示したブロック図である。
参加者側端末装置２０及び議長側端末装置３０は、当該端末装置２０（３０）の全体の制御を行うとともに、各種演算処理を行うＣＰＵ２１（３１）、各種データを書き込む際に、それらのデータを一時的に展開するＲＡＭ２２（３２）、オペレーティングシステム、アプリケーションソフトおよび各種データが記憶される記憶部２３（３３）、マウスやキーボード等の入力部２４（３４）、ディスプレイなどの表示部２５（３５）、インターネットやイントラネットなどの電気通信回線に接続可能な通信部２６（３６）、各種データをプリンタ等に出力可能な出力部２７（３７）および各種データの入出力部である入出力ポート２８（３８）を備えて構成されている。
【００５９】
（画面構成）
図４〜図６は、参加者側端末装置２０及び議長側端末装置３０のＧＵＩ（グラフィカルユーザインターフェース）について示した図である。
図４（ａ）に示す議長側端末装置３０の画面左側領域には、上から参加者状態表示部品、会議進行部が配置され、画面右側領域には、上から目的表示部品、会議表示部品、発言入力部が配置されてＧＵＩが構成されている。議長側端末装置３０のＧＵＩは、電子会議の進行状況に応じて表示項目が切り替わる。
【００６０】
また、図４（ｂ）に示す参加者側端末装置２０の画面左側領域には、上から参加者一覧部品、会議進行部が配置され、画面右側領域には、上から目的表示部品、会議表示部品が配置されてＧＵＩが構成されている。参加者側端末装置２０のＧＵＩは、議長の進行状況に応じて画面が切り替わる。
【００６１】
参加者側端末装置２０及び議長側端末装置３０における発言入力部品は、電子会議で発表する発言をキーボード、マウス及び音声マイクなどの入力手段によって入力する部品である。この部品は一度に複数の発言を入力されることを考慮しているので、発言を複数発表することが可能となっている。
会議表示部品は、電子会議の進行状況に応じた定型フォームが表示され、その内部に議長及び参加者が発表した発言が一発言一ブロックとして表示される。この発言ブロックは、電子会議の参加者全員がマウス操作によりマージ・グループ化・取捨を行うことで、発言情報を自由に分別して発言属性データを作成することができる。図５は、発言ブロックをグループ化した一例である。
【００６２】
議長側端末装置３０専用として搭載されたＧＵＩは、参加者状態表示部品、目的表示部品及び発言入力部である。図６に示す参加者状態表示部品は、参加者の一覧と参加者が現在の進行状況の中で、いくつ発言を入力しているかが数値によって表示される。
目的表示部品は、参加者の状況により随時進行することができる。進行することにより、参加している全端末装置の会議表示部品が変更される。目的表示部品については、進むことも戻ることもできる。
発言入力部は、電子会議を進行する上で必要になるタイマー機能、議長権限譲渡機能、現状況保存機能、前回状況読込機能、アウトプット機能等が表示され電子会議の進行を支援する。
【００６３】
参加者側端末装置２０専用に搭載されたＧＵＩは、電子会議状況部品、参加者一覧部品である。目的表示部品は、電子会議の現在の状況を表示し、状況により表題等を表示する。
参加者一覧部品は、現在参加している電子会議の参加者の一覧を表示し、表示内容としては氏名、接続場所等が表示される。また、議長には議長と把握できる目印（マークや文字色）が付いており容易に判別できるようになっている。
【００６４】
（電子会議準備〜問題点抽出処理）
次に、図７から図１０を参照して電子会議システムの一連の処理について説明する。
図７は、ユーザ登録から目的の確認までの処理を示したフローチャートであり、図８から図２６は、参加者側端末装置２０及び議長側端末装置３０におけるディスプレイの表示状態を示した図である。電子会議は「ユーザ登録、目的の確認、問題点の抽出、投票、問題決定、状況の確認、解決案の提示、コミットメント作成」の順番で進行していく。なお、会議の進行においては、タイマー機能によって自動的に進めていくようにすることも可能である。このようにすれば、会議の進行をより効率的にすることに期待できる。
【００６５】
（ユーザ登録フェーズ）
まず、議長側端末装置３０は、図８に示すように、ログイン画面においてユーザ登録を行う。
ユーザ登録は、メールアドレスとパスワードを入力し、使用言語を選択する。必要事項を入力したら、ログインボタンを押すと（Ｓ１０１）会議選択画面に移行する。管理サーバ１０は、ログイン処理を行う（Ｓ１０２）。
議長側端末装置３０の表示画面では、図９に示すように、議長の操作により参加する会議の選択または会議の新規作成のいずれかを選択する（Ｓ１０３）。
ここでは、会議を新規作成するので、『会議を新規作成する』ボタンを押す。会議を新規作成した際には、図１０に示すように、会議名、会議の終了目標日時、参加者の設定を行う。管理サーバ１０は、議長等の操作により会議が新規作成された場合に、その新規作成された会議を選択可能なように、各端末の画面に表示し（Ｓ１０４）、会議実施内容を選択する（Ｓ１０５）。
【００６６】
一方、参加者側端末装置２０においても、図１１に示すように、会議に参加するにはユーザ登録を行ったあと、ログイン画面においてログインすることになる。ログインは、議長同様にメールアドレスとパスワードを入力し、使用言語を選択する。必要事項を入力したら、ログインボタンを押すと（Ｓ１０６）、会議選択画面に移行する。
会議選択画面では、図１２に示すように、参加可能な会議の選択または会議の新規作成のいずれかを選択することができるが、ここでは、議長がすでに作成した会議である『新規店舗立ち上げ会議』に参加するので、『新規店舗立ち上げ会議』への参加申請ボタンを押す（Ｓ１０７）。
【００６７】
（目的の確認フェーズ）
議長側端末装置３０の表示画面には、図１３に示すように、『どのステップから会議を開始しますか？』と表示され、[１．本日の目的の確認から会議を開始する場合]、[２．問題の抽出から会議を開始する場合]、[３．状況の確認から会議を開始する場合]の三つの選択肢の中から選択する。
ここでは、[１．本日の目的の確認から会議を開始する場合]を選択したので、『本日の目的の確認から会議を開始する』ボタンを押す（Ｓ１０７）。
議長側端末装置３０の表示画面には、図１４に示すように、『参加者を確認し、本日の目的の確認を開始してください』と表示される。
議長および各参加者は『本日の目的』を入力する（Ｓ１０８・Ｓ１０９）。管理サーバ１０は、議長側端末装置３０および各参加者側端末装置２０から送信された『本日の目的』を受信すると、その受信した『本日の目的』を議長側端末装置３０に送信する（Ｓ１１０）。
議長側端末装置３０は、『本日の目的』を受信する（Ｓ１１１）
【００６８】
議長側端末装置３０の表示画面には、図１５に示すように、『提出された内容を確認し、本日の目的の確認を締め切ってください』と表示される。議長側端末装置３０は議長の操作により、各参加者が入力した『本日の目的』を確認し、問題がない場合には『本日の目的の確認を締切る』ボタンを押す（Ｓ１１２）。
ここで議長側端末装置３０の表示画面には、『今日一日のワークセッションを終えたときに、何を達成していれば、あなたにとって一番価値があるか？を記入し、提出してください』と表示されるので、それに応じた内容（新規店舗立ち上げのための次のステップが明確になっていること）を入力欄に入力して『提出・追加』ボタンを押す。すると、本日の目的の確認一覧画面にその入力内容が表示される。また、図１７に示すように参加者側端末装置２０の表示画面においても同様に表示される。
【００６９】
また、参加者側端末装置２０の表示画面には、図１８に示すように、『議長が本日の目的の確認を終了しています。しばらくお待ちください』と表示される。議長が本日の目的の確認を締切ると、管理サーバ１０は、議長側端末装置３０および各参加者側端末装置２０に対して本日の目的を表示する（Ｓ１１３）。
議長側端末装置３０の表示画面には、図１９に示すように、『本日の目的の確認を終了し、今までの達成の確認に進んでください』と表示される。
議長側端末装置３０は、議長の操作により[今までの達成の確認進む]ボタンを押すと、各参加者側端末装置２０の表示画面には、図２０に示すように、『今まで個人として、集団として何が達成されたのか』を記入し、提出してください。と表示される。
参加者側端末装置２０は参加者の操作によって『今まで個人として、集団として何が達成されたのか』を入力すると（Ｓ１１４）、管理サーバ１０は、質問用フォーマットを送信する（Ｓ１１５）。
参加者側端末装置２０の表示画面には、図２１に示すように『入力内容はあなたの「感情・意見」ですか？それとも「客観的事実」ですか？』と質問用フォーマットのダイアログが表示される。
参加者側端末装置２０は、「感情・意見」または「客観的事実」のどちらかを選択して該当するボタンを押す（Ｓ１１６）。管理サーバ１０は、その選択された質問用フォーマットを受信する（Ｓ１１７）。
【００７０】
議長側端末装置３０においても図２２に示すように、『今までの達成の確認』を入力する（Ｓ１１８）と、管理サーバ１０から質問用フォーマットが送信され、議長側端末装置３０の表示画面には、図２３に示すように『入力内容はあなたの「感情・意見」ですか？それとも「客観的事実」ですか？』と質問用フォーマットのダイアログが表示される。
議長側端末装置３０は、「感情・意見」または「客観的事実」のどちらかを選択して該当するボタンを押し（Ｓ１１９）、図２４に示す『意見提出の完了報告』ボタンを押す。管理サーバ１０は、その選択された質問用フォーマットを受信する（Ｓ１１７）。
【００７１】
管理サーバ１０は、議長側端末装置３０から入力された『今までの達成の確認』を受信すると、その『今までの達成の確認』を議長側端末装置３０および各参加者側端末装置２０の画面に表示する（Ｓ１２０）。
また、議長側端末装置３０では、図２５に示すように、『提出された内容を確認し、今までの達成の確認を締切ってください』と表示される。ここで締切ることとした場合には、「今までの達成の確認を締切る」ボタンを押す（Ｓ１２１）。ボタンを押すと、図２６に示すように、『参加メンバーの記入内容を確認の上、今までの達成の可否を判断し、問題の抽出に進んでください』と表示されるので、問題の抽出に進める場合には「問題の抽出に進む」ボタンを押す（Ｓ１２２）。
【００７２】
（問題の抽出フェーズ）
図２７は、問題抽出の処理を示したフローチャートであり、図２８から図３８は、参加者側端末装置２０及び議長側端末装置３０におけるディスプレイの表示状態を示した図である。
管理サーバ１０は、議長側端末装置３０から送信された「問題の抽出に進む」信号を受信すると（Ｓ２０１）、『問題を記入し、提出してください』の指示画面を議長側端末装置３０および参加者側端末装置２０に送信する（Ｓ２０２）。議長側端末装置３０および参加者側端末装置２０には図２８、図２９に示すように、それぞれ問題入力画面が表示される。
【００７３】
参加者側端末装置２０は、『問題を記入し、提出してください』の入力画面において問題を入力すると（Ｓ２０３）、管理サーバ１０は、質問用フォーマットを送信する（Ｓ２０４）。参加者側端末装置２０の表示画面には、図３０に示すように『「どのようにすれば〜か？」の形になっていることを確認し、提出します。よろしいですか？』と質問用フォーマットのダイアログが表示される。
参加者側端末装置２０は、「はい」または「いいえ」のどちらかを選択して該当するボタンを押す（Ｓ２０５）。管理サーバ１０は、その選択された質問用フォーマットを受信する（Ｓ２０６）。ここで、「いいえ」が選択された場合には、『どのようにすえば〜か？』という文が文頭に自動的に付与される。
【００７４】
議長側端末装置３０においても図３１に示すように、問題を入力すると（Ｓ２０７）管理サーバ１０から質問用フォーマットが送信され、『「どのようにすれば〜か？」の形になっていることを確認し、提出します。よろしいですか？』と質問用フォーマットのダイアログが表示される。
議長側端末装置３０は、「はい」または「いいえ」のどちらかを選択して該当するボタンを押す（Ｓ２０８）。管理サーバ１０は、その選択された質問用フォーマットを受信する（Ｓ２０６）。
【００７５】
また、議長側端末装置３０では、図３２に示すように、『提出された内容を確認し、問題の抽出を締め切ってください』と表示されるので、参加者の提出状況を確認しつつ、問題の抽出を締め切るボタンを押す（Ｓ２０９）。参加者側端末装置２０では、図３３に示すように、自分の提出した問題のみが画面に表示されている。
議長側端末装置３０が問題の抽出を締め切ると、その締め切り信号を管理サーバ１０が受信し（Ｓ２１０）、図３４に示すように『内容を確認し、必要な変更／追加／削除を行い、投票に進んでください』という画面を議長側端末装置３０に表示する（Ｓ２１１）。
【００７６】
投票に進む場合に、議長側端末装置３０が[投票]ボタンを押すと（Ｓ２１２）、管理サーバ１０から質問用フォーマットが送信され（Ｓ２１３）、議長側端末装置３０の表示画面には、図３５に示すように『１人あたりの投票数は３票です。投票を開始します。よろしいですか？』と質問用フォーマットのダイアログが表示される。
議長側端末装置３０は、「はい」または「いいえ」のどちらかを選択して該当するボタンを押す（Ｓ２１４）。
管理サーバ１０は、その選択された質問用フォーマットを受信すると（Ｓ２１５）、図３６に示すように、参加者側端末装置２０に対して『問題への投票を行ってください（一人３票まで）』という画面を表示させる（Ｓ２１６）。参加者側端末装置２０は、投票を行う（Ｓ２１７）。
【００７７】
また、議長側端末装置３０においては、図３７に示すように、管理サーバ１０から『投票状況を確認し、投票を締め切ってください（一人３票まで）』という画面を表示させる（Ｓ２１８）。
議長側端末装置３０は、投票の完了報告を行うためのボタンを押すとともに（Ｓ２１９）、図３８に示すように、投票を締め切るボタンを押すことで投票が締め切られる。
管理サーバ１０は、議長側端末装置３０から送信された投票締め切り信号を受信すると（Ｓ２２０）、『投票結果を確認し、状況の確認を行う問題を一つ選択し、状況の確認に進んでください。又は必要に応じて問題の変更／追加／削除／除外を行い、再投票を行ってください。』の指示画面を議長側端末装置３０に送信する（Ｓ３０１）。
【００７８】
（再投票・問題の選択フェーズ）
図３９は、抽出された問題点を決定するための投票および再投票の処理を示したフローチャートであり、図４０から図４６は、参加者側端末装置２０及び議長側端末装置３０におけるディスプレイの表示状態を示した図である。
【００７９】
議長側端末装置３０の表示画面には、図４０に示すように『投票結果を確認し、状況の確認を行う問題を一つ選択し、状況の確認に進んでください。又は必要に応じて問題の変更／追加／削除／除外を行い、再投票を行ってください。』と表示されるので、議長は問題の選択か再投票かを判別する（Ｓ３０２）。ここで、再投票の条件としては、一番多く投票された問題のうち、『同一投票数が存在する場合』および『票数に関係ない場合』の二つがある。本実施形態においては、同一投票数が存在するケースで説明している。
すなわち、図４０に示すように、議長側端末装置３０は議長の操作によって『再投票の準備を行う』ボタンを押す（Ｓ３０３）。
管理サーバ１０は、議長側端末装置３０から送信された『再投票の準備を行う』の指示信号を受信すると（Ｓ３０４）、『投票結果を確認し、再投票を行う問題をチェックし、再投票を行ってください』という画面を表示させる（Ｓ３０５）。
【００８０】
なお、本実施形態においては、大塩兵七郎の「どのようにすれば速やかに出店先を速やかに確定できるか？」と、伊達正子の「どのようにすれば開店月の収支を黒字にできるか？」の二つの案が４票ずつ同票数となっている。このため、図４１に示すように、議長側端末装置３０は議長の操作によってこれら二つの問題を選択し、『チェックされた問題で再投票を行う』ボタンを押す（Ｓ３０６）。
管理サーバ１０は、議長側端末装置３０から送信された『再投票の問題』を受信すると（Ｓ３０７）、議長側端末装置３０には図４２に示すように、『投票結果を確認し、投票を締め切ってください（一人１票まで）』という画面を送信して表示させる（Ｓ３０８）また、参加者側端末装置２０に対しては、図４３に示すように、『問題への投票を行ってください（一人１票まで）』という画面を送信して表示させる（Ｓ３０９）。
各参加者側端末装置２０および議長側端末装置３０から再投票の実施が確認されると（Ｓ３１０）（Ｓ３１１）、議長側端末装置３０は、図４４に示すように議長の操作によって『投票を締め切る』ボタンを押す（Ｓ３１２）。
【００８１】
管理サーバ１０は、議長側端末装置３０から再投票が締め切られた信号を受信すると、再投票の結果を集計し（Ｓ３１３）、集計によって決定した問題を議長側端末装置３０および参加者側端末装置２０に送信する（Ｓ３１４）。
議長側端末装置３０は、図４５に示すように、『投票結果を確認し、状況の確認を行う問題を一つ選択し、状況の確認に進んでください。又は必要に応じて問題の変更／追加／削除／除外を行い、再投票を行ってください。』と表示されるので、投票数の最も多い問題を選択する選択ボタンを押す（Ｓ３１５）。
すると、図４６に示すように、『問題「どのようにすれば開店月の収支を黒字にできるか？」を選択し、状況の確認を開始します。よろしいですか？』とダイアログが表示されるので、「はい」または「いいえ」のどちらかを選択して該当するボタンを押す。
管理サーバ１０は、議長側端末装置３０が選択した「はい」または「いいえ」の信号を受信する（Ｓ３１６）。
なお、上述したように、再投票を行う必要がない場合（最初から投票数が同票数でない場合）には、Ｓ３１６に進む。
【００８２】
（状況の確認フェーズ）
図４７は、会議で議論する問題に対しての状況確認処理を示したフローチャートであり、図４８から図５４は、参加者側端末装置２０及び議長側端末装置３０におけるディスプレイの表示状態を示した図である。
【００８３】
管理サーバ１０は、議長側端末装置３０から選択された問題を受信すると（Ｓ３１６）、議長側端末装置３０には、図４８に示すように、『上記の問題に対し、提出された内容を確認し、状況の確認を締め切ってください。』というダイアログを送信する（Ｓ４０１）。
議長側端末装置３０の画面には、その旨が表示される。議長側端末装置３０は、議長の操作により記入欄に「現状の確認」を記入する（Ｓ４０２）。
また、管理サーバ１０は、参加者側端末装置２０に対しても『現状の確認』の記入要求を促すダイアログを送信する（Ｓ４０１）。参加者側端末装置２０は、図４９に示すように、参加者の操作により記入欄に「現状の確認」を記入する（Ｓ４０３）。
【００８４】
管理サーバ１０は、議長側端末装置３０および参加者側端末装置２０に対し質問用フォーマットを送信する（Ｓ４０４）。これは、『入力内容はあなたの「感情・意見」ですか？それとも「客観的事実ですか」』というダイアログである。
議長側端末装置３０の画面には、図５０に示すように、『入力内容はあなたの「感情・意見」ですか？それとも「客観的事実ですか」』というダイアログと、[感情・意見]、[客観的事実]という選択可能なボタンが表示されるので、[感情・意見]または[客観的事実]のいずれかを選択して決定ボタンを押す（Ｓ４０５）。
同様に、参加者側端末装置２０の画面にも、図５１に示すように、『入力内容はあなたの「感情・意見」ですか？それとも「客観的事実ですか」』というダイアログと、[感情・意見]、[客観的事実]という選択可能なボタンが表示されるので、[感情・意見]もしくは[客観的事実]のいずれかを選択して決定ボタンを押す（Ｓ４０６）。また、図５２に示すように、その他、意見等がないようであれば『意見提出の完了報告』ボタンを押す。
【００８５】
管理サーバ１０は、議長側端末装置３０および参加者側端末装置２０から[感情・意見]または[客観的事実]によって指定された状況の確認を受信すると（Ｓ４０７）、議長側端末装置３０に対し、提出された内容の締め切り要求を送信する（Ｓ４０８）。
議長側端末装置３０では、図５３に示すように、各参加者の状況を確認し、状況の確認の提出状況に問題がないようであれば『状況の確認を締切る』ボタンを押して締切る（Ｓ４０９）。
管理サーバ１０は、締切り信号を受信すると（Ｓ４１０）、議長側端末装置３０に対し、図５４に示す『内容を確認し、必要な変更／追加／削除を行い、解決策の提示に進んでください』というダイアログを送信する（Ｓ４１１）。
議長側端末装置３０は、その解決策への移行要求を受信する（Ｓ４１２）。
【００８６】
（解決策の提示フェーズ）
図５５は、会議で議論する問題に対しての解決策の提示処理を示したフローチャートであり、図５６から図６３は、参加者側端末装置２０及び議長側端末装置３０におけるディスプレイの表示状態を示した図である。
【００８７】
議長側端末装置３０は、管理サーバ１０から解決策への移行要求を受信すると、解決策への移行指示を行う（Ｓ５０１）。
管理サーバ１０は、議長側端末装置３０から解決策への移行指示を受信すると（Ｓ５０２）、議長側端末装置３０および参加者側端末装置２０に対し、図５６、図５７に示すように『状況の確認を踏まえて、可能な解決策を記入し、提出してください。（やるか、やらないかはともかく、なるべく多くの可能性を記入してください。）』という解決策の入力指示ダイアログを表示させる（Ｓ５０３）。
【００８８】
議長側端末装置３０は、図５６に示すように、解決策を入力し（Ｓ５０４）、その入力した解決策を『提出・追加』ボタンを押して管理サーバ１０に送信する（Ｓ５０５）。
参加者側端末装置２０においても、図５７に示すように、解決策を入力し（Ｓ５０６）、その入力した解決策を『提出・追加』ボタンを押して管理サーバ１０に送信する（Ｓ５０７）。
管理サーバ１０は、議長側端末装置３０および参加者側端末装置２０から解決策を受信すると（Ｓ５０８）、質問用フォーマットを送信する（Ｓ５０９）。これは、『くだらないアイデアを追加してください』というダイアログである。
【００８９】
議長側端末装置３０は、図５８に示すように、『くだらないアイデアを追加してください』のダイアログに対してＯＫボタンを押す。本実施形態では、図５９に示すように、『実力のあるパティシエを集めてデザートを作成する』と入力し（Ｓ５１０）、提出ボタンを押す。管理サーバ１０は、議長側端末装置３０から入力されたくだらないアイデアを受信する（Ｓ５１１）。
参加者側端末装置２０においても、図６０に示すように、『くだらないアイデアを追加してください』のダイアログに対してＯＫボタンを押し、くだらないアイデアを入力して送信する（Ｓ５１２）。
なお、『くだらないアイデアを追加してください』を追加する趣旨は以下の通りである。
『解決策』とは、常識的なレベルの解決案のことである。
一般的に会議の参加者が入力する『解決策』は、常識的なものであることが多い。例えば、問題点が『人材不足』であるとすれば、それに対する解決策は『人材派遣会社へ登録する』などの至極もっともなものが多い。
これに対し、『くだらないアイデアを追加してください』という指示は、『人材不足』という問題点に対し『人材募集とプリントされたＴシャツを着てカフェに行く』というような、非常識的な発想であって良いこととなっている。
このため、既成概念に囚われないレベルの解決案を集めることで、課題に対する解決案を広く集める効果に期待できる。
【００９０】
議長側端末装置３０では、図６１に示すように『状況の確認を踏まえて、提出された内容を確認し、解決策の提示を締切ってください。』というダイアログが表示されるので、各参加者の状況を確認した後、締切れるようであれば締切りボタンを押す（Ｓ５１３）。
管理サーバ１０は、締切り信号を受信すると（Ｓ５１４）、議長側端末装置３０に対し、図６２に示す『内容を確認し、必要な変更／追加／削除を行い、コミットメントの作成に進んでください』というダイアログを送信する（Ｓ５１５）。
議長側端末装置３０は、コミットメントの作成への移行要求を受信する（Ｓ５１６）。
また、参加者側端末装置２０においても、図６３に示すように、『議長が上記の問題に関する解決策の提示を終了しています。しばらくお待ちください』というダイアログが表示される。
【００９１】
（コミットメントの作成フェーズ）
図６４は、会議で決定したコミットメントの作成処理を示したフローチャートであり、図６５から図７３は、参加者側端末装置２０及び議長側端末装置３０におけるディスプレイの表示状態を示した図である。
【００９２】
議長側端末装置３０は、管理サーバ１０から解決策への移行要求を受信すると、コミットメントの作成処理へと移行するための指示を行う（Ｓ６０１）。
管理サーバ１０は、議長側端末装置３０から解決策へのコミットメントの作成指示を受信すると（Ｓ６０２）、議長側端末装置３０に対し、『解決策の提示を踏まえて、提出された内容を確認し、コミットメントの作成を締切ってください。』という入力指示とともに、コミットメント作成用の入力欄を表示させる（Ｓ６０３）。
また、ここでは、図６５および図６６に示すように、議長が個別メッセージング機能を使い、参加者の大塩兵七郎宛に『何かジョークを意見として出してください』という依頼をしている。参加者は、図６７に示すように、議長からの個別メッセージ依頼に承諾している。
図６８は、議長側端末装置３０がコミットメントの入力をし、参加者側端末装置２０へ依頼している画面である（Ｓ６０４）。
また、参加者側端末装置２０においてもコミットメントの入力を行うとともに（Ｓ６０５）、コミットメントの依頼を行う（Ｓ６０６）。
議長側端末装置３０は、参加者側端末装置２０からのコミットメントを受信すると（Ｓ６０７）、コミットメントの締め切り処理を行い、参加者端末装置２０に受信したコミットメントを公開する（Ｓ６０８）
その依頼されたコミットメントを受諾するか否かを判別する（Ｓ６０９）。コミットメントが無理な内容であれば拒否をすれば良い（Ｓ６１０）。拒否をすると、その旨が参加者側端末装置２０へと送信される。一方、コミットメントの内容が許諾できるようであれば、承認ボタンを押して承認する（Ｓ６１１）。
【００９３】
なお、図６９に参加者がコミットメントの依頼を書き込んでいる様子を示す。そしてそれぞれにおいて一通りコミットメントの作成から依頼、承認、拒否が行われると、図７０に示すように、議長側端末装置３０がコミットメントの締切り指示を行う（Ｓ６１２）。
管理サーバ１０は、議長側端末装置３０から送信されたコミットメントの締切り信号を受信すると（Ｓ６１３）、図７１、図７２に示すように議長側端末装置３０および参加者側端末装置２０にコミットメント一覧を表示する（Ｓ６１４）。
【００９４】
管理サーバ１０は、議長側端末装置３０に対し、図７３に示す『内容を確認し、必要な変更／追加／削除を行い、本日の達成の確認に進んでください』というダイアログを送信する（Ｓ６１５）。
議長側端末装置３０は、本日の達成の確認への移行要求を受信する（Ｓ６１６）。
なお、図６４のフローチャートでは、説明の便宜上、議長側端末装置３０から参加者側端末装置２０に対してコミットメントの依頼をしているが、以下のような場合もある。
コミットメントの作成は、各自の役割分担があるのでその役割に応じて各参加者がコミットメントを決定する。
例えば、会議の参加者はそれぞれ、『企画部』、『営業部』、『マーケティング部』、『総務部』、『広報部』の各部署の参加者により開催されているとする。
この場合、各部署の参加者は会議終了後に自らの部署に関連する仕事についてのコミットメント（コミットメント１とする）を入力する。
そして、ここで入力したコミットメント１を実現するには、自分の部署の部下や上司、または他の部署の人の手助けが必要になる場合がある。これをコミットメント（コミットメント２とする）として依頼する。具体的には、広報部のコミットメントが『近隣オフィスにチラシを配布する』であれば、この配布するチラシを印刷する業務を総務部に依頼するような形である。
また、このコミットメントの依頼においては、そのコミットメントを受けるまたは受けないという判断だけでなく、その期日についてもその場で確認することとしている。
これによってコミットメントの実行率の向上及び問題を先延ばしにしない効果がある。
【００９５】
（本日の達成の確認フェーズ）
図７４は、本日の達成の作成処理を示したフローチャートであり、図７５から図７９は、参加者側端末装置２０及び議長側端末装置３０におけるディスプレイの表示状態を示した図である。
【００９６】
議長側端末装置３０は、管理サーバ１０から本日の達成の確認への移行要求を受信すると、本日の達成の確認処理へと移行指示を行う（Ｓ７０１）。
管理サーバ１０は、議長側端末装置３０から本日の達成の確認の移行指示を受信すると（Ｓ７０２）、議長側端末装置３０および参加者側端末装置２０に対し、図７５に示すように『提出された内容を確認し、本日の達成の作成を締切ってください。』という入力指示とともに、本日の達成確認用の選択ボックスを表示させる（Ｓ７０３）。
ここで議長は、本日の目的を達成できていれば[達成]を、本日の目的で達成できていない目的があれば[未達成]を、本日の目的で達成したものが欠落していれば[欠落]選択し（Ｓ７０４）、管理サーバ１０に送信する（Ｓ７０５）。
【００９７】
各参加者においても同様に、図７６に示すように、本日の目的を達成できていれば[達成]を、本日の目的で達成できていない目的があれば[未達成]を、本日の目的で達成したものが欠落していれば[欠落]を選択し（Ｓ７０６）、管理サーバ１０に送信する（Ｓ７０７）。
管理サーバ１０は、議長側端末装置３０および参加者側端末装置２０から送信された本日の達成の確認を受信すると（Ｓ７０８）、議長側端末装置３０に対し、『提出された内容を確認し、本日の達成の確認を締切ってください。』という本日の達成の確認の締切り要求を送信する（Ｓ７０９）。議長側端末装置３０は、図７７に示すように、管理サーバ１０からの締切り要求を受信し、各参加者の状況を把握し、全ての参加者が本日の達成の確認処理を実行済みであれば[本日の達成の確認を締切る]ボタンを押す（Ｓ７１０）。
【００９８】
管理サーバ１０は、本日の達成確認の締切りを受信すると（Ｓ７１１）、図７８、図７９に示すように、議長側端末装置３０および参加者側端末装置２０の画面には、[本日の達成の確認一覧]として電子会議に参加した参加者全ての達成状況を一覧可能に表示する（Ｓ７１２）。また、議長は、会議を終了するボタンを押して会議を終了する。
なお、参加者が入力した意見（会議目的、問題点、解決、コミットメント、達成の確認など）の表示順序は、参加者の記載時刻に応じて各端末装置のディスプレイに表示されるようになっている。このようにするのは、参加者の意見提出スピードが遅い人に対する良い意味でのプレッシャーを与えることで、緊張感を持続させて会議を進行させることができる。また、会議の種類によっては、意見提出スピードを競わせるなど、電子会議にゲーム性を持たせるようにすることも可能である。
【００９９】
本実施形態によれば、管理サーバ１０の投票機能により、電子会議に参加している参加者達の間で、どの議題で会議を行うか手順をおって取り決めることができるので、議題を絞って議論を集中することができる。
また、電子会議というのは、無駄な会話を行うようなことがなく、ある意味『無機質』に進行していくものである。本実施形態では、予め会議の手順が決まっているので、その手順に沿って進行していくだけで、議論する問題点の分散を防止している。これにより、会議の進行手順や優先順位の厳格化に寄与する。
さらに、電子会議はリアル会議とは異なり、会議の参加者同士が顔をあわせなくても良い。また参加者の中に自分よりも地位が上の人や自分の上司が出席していても、本実施形態のような構成とすることで、提出された意見において『人間的な感情』や『事実』を識別することができ、会議のスムーズな進行に寄与する。結果として『本来提案されるべく有益な意見』の提案が容易になる。
【０１００】
また、議長による会議進行管理も大きく進歩する。たとえば、議長は会議参加者の発言内容を他の参加者に開示するタイミングをコントロールすることができ、会議参加者は発言機会を与えられている間、他人の発言内容を閲覧することができないようにすることができる。このため、他者の意見に左右されず、自らの頭で考え、発言内容を記載しなければならない。これによって、会議参加者は、他人の意見に相乗りしたり批判したりするだけの参加が困難となり、積極的な参加をせざるを得なくなる。
また、議長は、会議参加者の発言提出時間をコントロールすることが可能である。それを行うと、会議参加者は、一定のタイムプレッシャーを感じながら自ら発言内容を考えて記載しなければならない。その結果、会議参加者一人一人は、頭が活性化し、会議全体は進行が円滑となるので、短い時間で終えられるようにもなる。
【０１０１】
なお、本実施形態における使用言語は日本語としているが、言語設定により英語、中国語、韓国語、フランス語、スペイン語、ドイツ語、イタリア語、など複数の言語を使用することも可能である。
【産業上の利用可能性】
【０１０２】
本発明は、電子会議システムのコンピュータプログラムを販売するソフトウェア業、コンピュータプログラムをプリインストールしたハードウェアシステムとして販売する販売業や、レンタルによってシステムを提供するレンタル業のほか、ネットワーク経由で電子会議システムの機能を提供するＡＳＰ（アプリケーション・サービス・プロバイダ）業として提供することが可能である。
【図面の簡単な説明】
【０１０３】
【図１】電子会議システムの全体構成を示した概略図である。
【図２】管理サーバのハードウェア構成を示したブロックである。
【図３】端末装置のハードウェア構成を示したブロックである。
【図４】端末装置のＧＵＩを示した概略図である。
【図５】発言ブロックのグループ化の例を示した概略図である。
【図６】参加者状態表示部品における発言入力回数を示した概略図である。
【図７】ユーザ登録から目的の確認までの処理を示したフローチャートである。
【図８】議長側端末装置の画面であり、電子会議のユーザ登録の状況を示した概略図である。
【図９】議長側端末装置の画面であり、電子会議の選択画面を示した概略図である。
【図１０】議長側端末装置の画面であり、電子会議の新規作成画面を示した概略図である。
【図１１】参加者側端末装置の画面であり、電子会議のユーザ登録の状況を示した概略図である。
【図１２】参加者側端末装置の画面であり、電子会議の選択画面を示した概略図である。
【図１３】議長側端末装置の画面であり、電子会議のステップ選択の確認画面を示した概略図である。
【図１４】議長側端末装置の画面であり、電子会議の参加者確認および本日の目的確認の画面を示した概略図である
【図１５】議長側端末装置の画面であり、本日の目的確認の処理画面の状況を示した概略図である。
【図１６】参加者側端末装置の画面であり、電子会議の開始前の確認画面を示した概略図である。
【図１７】参加者側端末装置の画面であり、本日の目的確認の処理画面の状況を示した概略図である。
【図１８】参加者側端末装置の画面であり、本日の目的確認の処理画面の状況を示した概略図である。
【図１９】議長側端末装置の画面であり、本日の目的確認の終了から今までの達成フェーズに移行するための画面を示した概略図である。
【図２０】参加者側端末装置の画面であり、今までの達成成果の入力画面を示した概略図である。
【図２１】参加者側端末装置の画面であり、質問用フォーマットのダイアログ表示を示した概略図である。
【図２２】議長側端末装置の画面であり、今までの達成成果の入力画面を示した概略図である。
【図２３】議長側端末装置の画面であり、質問用フォーマットのダイアログ表示を示した概略図である。
【図２４】議長側端末装置の画面であり、意見提出の完了報告画面を示した概略図である。
【図２５】議長側端末装置の画面であり、今までの達成成果の入力締め切り画面について示した概略図である。
【図２６】議長側端末装置の画面であり、今までの達成成果の可否および問題抽出への移行について示した概略図である。
【図２７】問題抽出の処理を示したフローチャートである。
【図２８】議長側端末装置の画面であり、抽出された問題が一覧表示された画面を示す概略図である。
【図２９】参加者側端末装置の画面であり、抽出された問題が一覧表示された画面を示す概略図である。
【図３０】参加者側端末装置の画面であり、質問用フォーマットのダイアログの表示画面を示した概略図である。
【図３１】議長側端末装置の画面であり、質問用フォーマットのダイアログの表示画面を示した概略図である。
【図３２】議長側端末装置の画面であり、提出された問題の一覧表示および問題の抽出を締め切る画面を示した概略図である。
【図３３】参加者側端末装置の画面であり、自分の提出した問題が表示された状況を示した概略図である。
【図３４】議長側端末装置の画面であり、内容の確認、変更／追加／削除を行うための画面を示した概略図である。
【図３５】議長側端末装置の画面であり、投票を開始するか否かの質問用フォーマットのダイアログを示した概略図である。
【図３６】参加者側端末装置の画面であり、投票を実施するための画面を示した概略図である。
【図３７】議長側端末装置の画面であり、投票の確認および締め切りを設定するための画面を示した概略図である。
【図３８】議長側端末装置の画面であり、投票の締め切りを設定するための画面を示した概略図である。
【図３９】抽出された問題点を決定するための投票および再投票の処理を示したフローチャートである。
【図４０】議長側端末装置の画面であり、状況の確認を行う問題選択画面を示した概略図である。
【図４１】議長側端末装置の画面であり、再投票を行うための画面を示した概略図である。
【図４２】議長側端末装置の画面であり、再投票後の投票状況の確認画面を示した概略図である。
【図４３】参加者側端末装置の画面であり、投票を行うための画面を示した概略図である。
【図４４】議長側端末装置の画面であり、投票状況の確認と締め切りを行うための画面を示した概略図である。
【図４５】議長側端末装置の画面であり、再投票後の状況の確認を行う画面を示した概略図である。
【図４６】議長側端末装置の画面であり、再投票後の投票状況の確認と問題の決定画面を示した概略図である。
【図４７】会議で議論する問題に対しての状況確認処理を示したフローチャートである。
【図４８】議長側端末装置の画面であり、提出された問題の確認画面を示した概略図である。
【図４９】参加者側端末装置の画面であり、現状の確認を記入するための画面を示した概略図である。
【図５０】議長側端末装置の画面であり、事実、感情、意見のダイアログ選択画面を示した概略図である。
【図５１】参加者側端末装置の画面であり、事実、感情、意見のダイアログ選択画面を示した概略図である。
【図５２】参加者側端末装置の画面であり、状況の確認の意見提出の完了報告を行う画面を示した概略図である。
【図５３】議長側端末装置の画面であり、状況の確認を締切るための画面を示した概略図である。
【図５４】議長側端末装置の画面であり、解決策の提示へと進むための画面を示した概略図である。
【図５５】会議で議論する問題に対しての解決策の提示処理を示したフローチャートである。
【図５６】議長側端末装置の画面であり、解決策の入力画面を示した概略図である。
【図５７】参加者側端末装置の画面であり、解決策の入力画面を示した概略図である。
【図５８】議長側端末装置の画面であり、くだらないアイデアの追加依頼の画面を示した概略図である。
【図５９】議長側端末装置の画面であり、くだらないアイデアの追加入力の画面を示した概略図である。
【図６０】参加者端末装置の画面であり、くだらないアイデアの追加入力の画面を示した概略図である。
【図６１】議長側端末装置の画面であり、提出された状況の確認および解決策の提示一覧の画面を示した概略図である。
【図６２】議長側端末装置の画面であり、コミットメントの作成へと進むための画面を示した概略図である。
【図６３】議長側端末装置の画面であり、議長による解決策の提示終了待ちの画面を示した概略図である。
【図６４】会議で決定したコミットメントの作成処理を示したフローチャートである。
【図６５】議長側端末装置の画面であり、参加者へ個別メッセージの入力画面を示した概略図である。
【図６６】議長側端末装置の画面であり、参加者へ個別メッセージの送信画面を示した概略図である。
【図６７】参加者側端末装置の画面であり、個別メッセージの承諾画面を示した概略図である。
【図６８】議長側端末装置の画面であり、コミットメントの入力画面を示した概略図である。
【図６９】参加者側端末装置の画面であり、コミットメントの入力画面を示した概略図である。
【図７０】議長側端末装置の画面であり、コミットメントの作成締切り画面を示した概略図である。
【図７１】議長側端末装置の画面であり、コミットメントの一覧が表示された画面を示した概略図である。
【図７２】参加者側端末装置の画面であり、コミットメントの一覧が表示された画面を示した概略図である。
【図７３】参加者側端末装置の画面であり、投票を行うための画面を示した概略図である。
【図７４】本日の達成の作成処理を示したフローチャートである。
【図７５】議長側端末装置の画面であり、本日の達成確認の画面を示した概略図である。
【図７６】参加者側端末装置の画面であり、本日の達成度の入力および報告を行うための画面を示した概略図である。
【図７７】議長側端末装置の画面であり、本日の達成確認の締切り画面を示した概略図である。
【図７８】議長側端末装置の画面であり、本日の達成確認の一覧が表示された画面を示した概略図である。
【図７９】参加者側端末装置の画面であり、本日の達成確認の一覧が表示された画面を示した概略図である。
【符号の説明】
【０１０４】
１０  管理サーバ
１１，２１，３１  ＣＰＵ
１２，２２，３２  ＲＡＭ
１３，２３，３３  記憶部
１４，２４，３４  入力部
１５，２５，３５  表示部
１６，２６，３６  通信部
１７，２７，３７  出力部
１８，２８，３８  入出力ポート
２０  参加者側端末装置
３０  議長側端末装置
５０  情報データベース
【図１】
2009093220.tif 000003
【図２】
2009093220.tif 000004
【図３】
2009093220.tif 000005
【図４】
2009093220.tif 000006
【図５】
2009093220.tif 000007
【図６】
2009093220.tif 000008
【図７】
2009093220.tif 000009
【図８】
2009093220.tif 000010
【図９】
2009093220.tif 000011
【図１０】
2009093220.tif 000012
【図１１】
2009093220.tif 000013
【図１２】
2009093220.tif 000014
【図１３】
2009093220.tif 000015
【図１４】
2009093220.tif 000016
【図１５】
2009093220.tif 000017
【図１６】
2009093220.tif 000018
【図１７】
2009093220.tif 000019
【図１８】
2009093220.tif 000020
【図１９】
2009093220.tif 000021
【図２０】
2009093220.tif 000022
【図２１】
2009093220.tif 000023
【図２２】
2009093220.tif 000024
【図２３】
2009093220.tif 000025
【図２４】
2009093220.tif 000026
【図２５】
2009093220.tif 000027
【図２６】
2009093220.tif 000028
【図２７】
2009093220.tif 000029
【図２８】
2009093220.tif 000030
【図２９】
2009093220.tif 000031
【図３０】
2009093220.tif 000032
【図３１】
2009093220.tif 000033
【図３２】
2009093220.tif 000034
【図３３】
2009093220.tif 000035
【図３４】
2009093220.tif 000036
【図３５】
2009093220.tif 000037
【図３６】
2009093220.tif 000038
【図３７】
2009093220.tif 000039
【図３８】
2009093220.tif 000040
【図３９】
2009093220.tif 000041
【図４０】
2009093220.tif 000042
【図４１】
2009093220.tif 000043
【図４２】
2009093220.tif 000044
【図４３】
2009093220.tif 000045
【図４４】
2009093220.tif 000046
【図４５】
2009093220.tif 000047
【図４６】
2009093220.tif 000048
【図４７】
2009093220.tif 000049
【図４８】
2009093220.tif 000050
【図４９】
2009093220.tif 000051
【図５０】
2009093220.tif 000052
【図５１】
2009093220.tif 000053
【図５２】
2009093220.tif 000054
【図５３】
2009093220.tif 000055
【図５４】
2009093220.tif 000056
【図５５】
2009093220.tif 000057
【図５６】
2009093220.tif 000058
【図５７】
2009093220.tif 000059
【図５８】
2009093220.tif 000060
【図５９】
2009093220.tif 000061
【図６０】
2009093220.tif 000062
【図６１】
2009093220.tif 000063
【図６２】
2009093220.tif 000064
【図６３】
2009093220.tif 000065
【図６４】
2009093220.tif 000066
【図６５】
2009093220.tif 000067
【図６６】
2009093220.tif 000068
【図６７】
2009093220.tif 000069
【図６８】
2009093220.tif 000070
【図６９】
2009093220.tif 000071
【図７０】
2009093220.tif 000072
【図７１】
2009093220.tif 000073
【図７２】
2009093220.tif 000074
【図７３】
2009093220.tif 000075
【図７４】
2009093220.tif 000076
【図７５】
2009093220.tif 000077
【図７６】
2009093220.tif 000078
【図７７】
2009093220.tif 000079
【図７８】
2009093220.tif 000080
【図７９】
2009093220.tif 000081